(57)【要約】【課題】  メディア固有情報を配信サーバに送信でき、メディアがダウンロード端末内に無くてもコンテンツを購入でき、ダウンロード端末で決済情報を入力・送信せず、配信サーバで個人情報を管理しないコンテンツ販売システム及びプログラムを提供する。【解決手段】  モバイル機器１０が決済情報を配信サーバ３０に送信して暗号化コンテンツ鍵の取得権利を購入する構成により、ＤＶＤメディア４０がＤＶＤレコーダ２０内になくてもコンテンツを購入でき、ＤＶＤレコーダ２０で決済情報を入力・送信しなくて済む。配信サーバ３０は購入ＩＤ及びコンテンツＩＤを管理すればよいので、配信サーバで個人情報を管理する必要がない。ＤＶＤレコーダ２０は、モバイル機器１０による購入ＩＤの取得後、ＤＶＤメディア４０を保持してメディア固有情報を含むダウンロード要求を送信するので、メディア固有情報を配信サーバ３０に送信できる。【選択図】  図１
2006050017.tif 000002
【特許請求の範囲】
【請求項１】
暗号化コンテンツを配信可能な配信サーバがモバイル担体に向けて購入ＩＤを送信し、この購入ＩＤが入力されたダウンロード端末が当該購入ＩＤ及びメディアＩＤに基づいて、前記配信サーバから前記暗号化コンテンツを復号するためのコンテンツ鍵が暗号化されてなる暗号化コンテンツ鍵をダウンロードするコンテンツ販売システムであって、
前記配信サーバは、
前記モバイル担体の保持装置から決済情報を受信して前記暗号化コンテンツ鍵を取得する権利を販売したとき、この販売の完了を示す購入ＩＤを発行し、当該購入ＩＤを前記モバイル担体に向けて送信するコンテンツ販売手段と、
前記購入ＩＤが前記暗号化コンテンツのコンテンツＩＤと関連付けて記憶される購入情報記憶手段と、
前記ダウンロード端末から前記購入ＩＤ、メディアＩＤ及びコンテンツＩＤを含むダウンロード要求を受けると、前記購入情報記憶手段を参照して購入ＩＤを確認する購入ＩＤ確認手段と、
確認された購入ＩＤに対応するコンテンツＩＤの暗号化コンテンツを復号するためのコンテンツ鍵を、前記メディアＩＤに基づいて暗号化し、暗号化コンテンツ鍵を得るコンテンツ鍵暗号化手段と、
得られた暗号化コンテンツ鍵を前記ダウンロード端末に返信するコンテンツ鍵送信手段とを備え、
前記ダウンロード端末は、
前記ダウンロード要求を配信サーバに送信するダウンロード要求送信手段と、
前記配信サーバから暗号化コンテンツ鍵を受信する暗号化コンテンツ鍵受信手段と
を備えたことを特徴とするコンテンツ販売システム。
【請求項２】
請求項１に記載のコンテンツ販売システムにおいて、
前記配信サーバは、
前記購入ＩＤを確認した後、前記コンテンツＩＤとメディアＩＤとを関連付ける一方、前記購入情報記憶手段内の前記購入ＩＤを無効にする手段と、
前記無効にした後、同一の購入ＩＤによるダウンロード要求を無視する手段と、
前記関連付けたコンテンツＩＤとメディアＩＤとを含むチケット情報をダウンロード端末に発行するチケット情報発行手段と、
前記チケット情報が記憶されるチケット情報記憶手段と、
前記ダウンロード端末からチケット情報を提示されると、このチケット情報に対応する暗号化コンテンツ鍵をダウンロード端末に再送信する手段とを備え、
前記ダウンロード端末は、
前記チケット情報を含む暗号化コンテンツ鍵の再取得要求を前記配信サーバに送信する手段と、
を備えたことを特徴とするコンテンツ販売システム。
【請求項３】
請求項１に記載のコンテンツ販売システムにおいて、
前記ダウンロード要求送信手段は、
前記購入ＩＤが入力されると、保持するメディアからメディアＩＤを読出す固有情報読出機能を備えたことを特徴とするコンテンツ販売システム。
【請求項４】
請求項１に記載のコンテンツ販売システムにおいて、
前記モバイル担体の保持装置は、
前記購入ＩＤの発行を受けるためのパスワードを前記配信サーバに送信する手段を備え、
前記配信サーバは、
前記発行した購入ＩＤを前記パスワードにより暗号化し、得られた暗号化購入ＩＤをモバイル担体の保持装置に送信する手段を備え、
前記ダウンロード端末は、
前記モバイル担体から出力された前記暗号化購入ＩＤを受信する手段と、
入力された前記パスワードに基づいて前記暗号化購入ＩＤを復号し、前記購入ＩＤを得る手段と
を備えたことを特徴とするコンテンツ販売システム。
【請求項５】
暗号化コンテンツを配信可能な配信サーバがモバイル担体との間で決済処理を実行し、この決済処理に用いた利用者ＩＤが入力されたダウンロード端末が当該利用者ＩＤ及びメディアＩＤに基づいて、前記配信サーバから前記暗号化コンテンツを復号するためのコンテンツ鍵が暗号化されてなる暗号化コンテンツ鍵をダウンロードするコンテンツ販売システムであって、
前記配信サーバは、
前記モバイル担体の保持装置から利用者ＩＤ及び決済情報を受信して前記暗号化コンテンツ鍵を取得する権利を販売したとき、前記利用者ＩＤ、前記暗号化コンテンツのコンテンツＩＤ、前記暗号化コンテンツ鍵の未発行を示す発行状態情報、が関連付けて記憶される購入履歴記憶手段と、
前記ダウンロード端末から前記利用者ＩＤ、メディアＩＤ及びコンテンツＩＤを含むダウンロード要求を受信する手段と、
前記ダウンロード要求に含まれる利用者ＩＤ及びコンテンツＩＤに対応する暗号化コンテンツを復号するためのコンテンツ鍵を、前記メディアＩＤに基づいて暗号化し、暗号化コンテンツ鍵を得るコンテンツ鍵暗号化手段と、
得られた暗号化コンテンツ鍵を前記ダウンロード端末に送信するコンテンツ鍵送信手段と、
前記暗号化コンテンツ鍵をダウンロード端末に送信するとき、前記発行状態情報を発行済を示すように変更する状態情報変更手段とを備え、
前記ダウンロード端末は、
前記ダウンロード要求を配信サーバに送信するダウンロード要求送信手段と、
前記配信サーバから暗号化コンテンツ鍵を受信する暗号化コンテンツ鍵受信手段と
を備えたことを特徴とするコンテンツ販売システム。
【請求項６】
請求項５に記載のコンテンツ販売システムにおいて、
前記配信サーバは、
前記ダウンロード要求を受信すると、前記購入履歴記憶手段を参照し、前記発行状態情報が発行済を示すか否かを判定する手段と、
前記判定の結果、未発行を示すとき、前記ダウンロード要求に含まれる利用者ＩＤ、メディアＩＤ及びコンテンツＩＤをチケット情報として記憶するチケット情報記憶手段と、
前記判定の結果、発行済を示すとき、前記ダウンロード要求に含まれるメディアＩＤと前記チケット情報記憶手段のチケット情報とが一致する旨を確認する手段と、
前記一致を確認した後、前記ダウンロード要求に対応する暗号化コンテンツ鍵を前記ダウンロード端末に再送信する再送信手段と、
を備えたことを特徴とするコンテンツ販売システム。
【請求項７】
請求項５に記載のコンテンツ販売システムにおいて、
前記モバイル担体の保持装置、前記配信サーバ及び前記ダウンロード端末と通信可能なゲートウェイ装置を有し、
前記ゲートウェイ装置は、
前記モバイル担体の担体ＩＤと利用者ＩＤとを関連付けて記憶する利用者担体情報記憶手段と、
前記配信サーバから担体ＩＤを含む利用者問合せを受けると、前記担体ＩＤに関連する利用者ＩＤを前記配信サーバに返信する手段とを備え、
前記ダウンロード端末は、
前記モバイル担体から出力された担体ＩＤを受信する手段と、
前記配信サーバにアクセスするとき、前記担体ＩＤを提示する手段とを備え、
前記配信サーバは、
前記ダウンロード端末からのアクセスに対し、提示された担体ＩＤを前記ゲートウェイ装置に問合せし、利用者ＩＤを取得する手段と
を備えたことを特徴とするコンテンツ販売システム。
【請求項８】
暗号化コンテンツを配信可能な配信サーバがモバイル担体に向けて購入ＩＤを送信し、この購入ＩＤが入力されたダウンロード端末が当該購入ＩＤ及びメディアＩＤに基づいて、前記配信サーバから前記暗号化コンテンツを復号するためのコンテンツ鍵が暗号化されてなる暗号化コンテンツ鍵をダウンロードするコンテンツ販売システムに関し、前記配信サーバに用いられるプログラムであって、
前記配信サーバのコンピュータを、
前記モバイル担体の保持装置から決済情報を受信して前記暗号化コンテンツ鍵を取得する権利を販売したとき、この販売の完了を示す購入ＩＤを発行し、当該購入ＩＤを前記モバイル担体に向けて送信するコンテンツ販売手段、
前記購入ＩＤを前記暗号化コンテンツのコンテンツＩＤと関連付けてメモリに書込む手段、
前記ダウンロード端末から前記購入ＩＤ、メディアＩＤ及びコンテンツＩＤを含むダウンロード要求を受けると、前記メモリを参照して購入ＩＤを確認する購入ＩＤ確認手段、
確認された購入ＩＤに対応するコンテンツＩＤの暗号化コンテンツを復号するためのコンテンツ鍵を、前記メディアＩＤに基づいて暗号化し、暗号化コンテンツ鍵を得るコンテンツ鍵暗号化手段、
得られた暗号化コンテンツ鍵を前記ダウンロード端末に返信するコンテンツ鍵送信手段、
として機能させるためのプログラム。
【請求項９】
請求項８に記載のプログラムにおいて、
前記配信サーバのコンピュータを、
前記購入ＩＤを確認した後、前記コンテンツＩＤとメディアＩＤとを関連付ける一方、前記メモリ内の前記購入ＩＤを無効にする手段、
前記無効にした後、同一の購入ＩＤによるダウンロード要求を無視する手段、
前記関連付けたコンテンツＩＤとメディアＩＤとを含むチケット情報をダウンロード端末に発行するチケット情報発行手段、
前記チケット情報をメモリに書込む手段、
前記ダウンロード端末からチケット情報を提示されると、このチケット情報に対応する暗号化コンテンツ鍵をダウンロード端末に再送信する手段、
として機能させるためのプログラム。
【請求項１０】
請求項８に記載のプログラムにおいて、
前記配信サーバのコンピュータを、
前記モバイル担体から入力されたパスワードに基づいて、前記発行した購入ＩＤを暗号化し、得られた暗号化購入ＩＤをモバイル担体に送信する手段、
として機能させるためのプログラム。
【請求項１１】
暗号化コンテンツを配信可能な配信サーバがモバイル担体に向けて購入ＩＤを送信し、この購入ＩＤが入力されたダウンロード端末が当該購入ＩＤ及びメディアＩＤに基づいて、前記配信サーバから前記暗号化コンテンツを復号するためのコンテンツ鍵が暗号化されてなる暗号化コンテンツ鍵をダウンロードするコンテンツ販売システムに関し、前記ダウンロード端末に用いられるプログラムであって、
前記ダウンロード端末のコンピュータを、
前記購入ＩＤ、メディアＩＤ及びコンテンツＩＤを含むダウンロード要求を配信サーバに送信するダウンロード要求送信手段、
前記配信サーバから前記暗号化コンテンツ鍵を受信する暗号化コンテンツ鍵受信手段、
として機能させるためのプログラム。
【請求項１２】
請求項１１に記載のプログラムにおいて、
前記ダウンロード端末のコンピュータを、
前記配信サーバにより発行された前記コンテンツＩＤとメディアＩＤとを含むチケット情報に関し、このチケット情報を含む暗号化コンテンツ鍵の再取得要求を前記配信サーバに送信する手段、
として機能させるためのプログラム。
【請求項１３】
請求項１１に記載のプログラムにおいて、
前記ダウンロード要求送信手段は、
前記購入ＩＤが入力されると、保持するメディアからメディアＩＤを読出す手順を含んでいるプログラム。
【請求項１４】
請求項１１に記載のプログラムにおいて、
前記購入ＩＤを、パスワードにより暗号化されてなる暗号化購入ＩＤとして前記モバイル担体から受信する手段、
入力された前記パスワードに基づいて前記暗号化購入ＩＤを復号し、前記購入ＩＤを得る手段、
として機能させるためのプログラム。
【請求項１５】
暗号化コンテンツを配信可能な配信サーバがモバイル担体との間で決済処理を実行し、この決済処理に用いた利用者ＩＤが入力されたダウンロード端末が当該利用者ＩＤ及びメディアＩＤに基づいて、前記配信サーバから前記暗号化コンテンツを復号するためのコンテンツ鍵が暗号化されてなる暗号化コンテンツ鍵をダウンロードするコンテンツ販売システムに関し、前記配信サーバに用いられるプログラムであって、
前記配信サーバのコンピュータを、
前記モバイル担体の保持装置から利用者ＩＤ及び決済情報を受信して前記暗号化コンテンツ鍵を取得する権利を販売したとき、前記利用者ＩＤ、前記暗号化コンテンツのコンテンツＩＤ、前記暗号化コンテンツ鍵の未発行を示す発行状態情報、を関連付けて第１メモリに書込む手段、
前記ダウンロード端末から前記利用者ＩＤ、メディアＩＤ及びコンテンツＩＤを含むダウンロード要求を受信する手段、
前記ダウンロード要求に含まれる利用者ＩＤ及びコンテンツＩＤに対応する暗号化コンテンツを復号するためのコンテンツ鍵を、前記メディアＩＤに基づいて暗号化し、暗号化コンテンツ鍵を得るコンテンツ鍵暗号化手段、
得られた暗号化コンテンツ鍵を前記ダウンロード端末に送信するコンテンツ鍵送信手段、
前記暗号化コンテンツ鍵をダウンロード端末に送信するとき、前記第１メモリ内の発行状態情報を発行済を示すように変更する状態情報変更手段、
として機能させるためのプログラム。
【請求項１６】
請求項５に記載のプログラムにおいて、
前記配信サーバのコンピュータを、
前記ダウンロード要求を受信すると、前記第１メモリを参照し、前記発行状態情報が発行済を示すか否かを判定する手段、
前記判定の結果、未発行を示すとき、前記ダウンロード要求に含まれる利用者ＩＤ、メディアＩＤ及びコンテンツＩＤをチケット情報として第２メモリに書込む手段、
前記判定の結果、発行済を示すとき、前記ダウンロード要求に含まれるメディアＩＤと前記第２メモリ内のチケット情報とが一致する旨を確認する手段、
前記一致を確認した後、前記ダウンロード要求に対応する暗号化コンテンツ鍵を前記ダウンロード端末に再送信する再送信手段、
として機能させるためのプログラム。
【請求項１７】
請求項１５に記載のプログラムにおいて、
前記配信サーバから担体ＩＤを含む利用者問合せを受けると、前記担体ＩＤに関連する利用者ＩＤを前記配信サーバに返信する機能を有するゲートウェイ装置を前記コンテンツ販売システムが備えた場合に関し、
前記配信サーバのコンピュータを、
前記ダウンロード端末からのアクセスに対し、提示された担体ＩＤを前記ゲートウェイ装置に問合せし、利用者ＩＤを取得する手段、
として機能させるためのプログラム。
【請求項１８】
暗号化コンテンツを配信可能な配信サーバがモバイル担体との間で決済処理を実行し、この決済処理に用いた利用者ＩＤが入力されたダウンロード端末が当該利用者ＩＤ及びメディアＩＤに基づいて、前記配信サーバから前記暗号化コンテンツを復号するためのコンテンツ鍵が暗号化されてなる暗号化コンテンツ鍵をダウンロードするコンテンツ販売システムに関し、前記ダウンロード端末に用いられるプログラムであって、
前記ダウンロード端末のコンピュータを、
前記利用者ＩＤ、メディアＩＤ及びコンテンツＩＤを含むダウンロード要求を配信サーバに送信するダウンロード要求送信手段、
前記配信サーバから暗号化コンテンツ鍵を受信する暗号化コンテンツ鍵受信手段、
として機能させるためのプログラム。
【請求項１９】
請求項１８に記載のプログラムにおいて、
前記配信サーバから担体ＩＤを含む利用者問合せを受けると、前記担体ＩＤに関連する利用者ＩＤを前記配信サーバに返信する機能を有するゲートウェイ装置を前記コンテンツ販売システムが備え、前記配信サーバが前記ダウンロード端末からのアクセスに対し、提示された担体ＩＤを前記ゲートウェイ装置に問合せし、利用者ＩＤを取得する場合に関し、
前記ダウンロード端末のコンピュータを、
前記モバイル担体から担体ＩＤを受信する手段、
前記配信サーバにアクセスするとき、前記担体ＩＤを提示する手段、
として機能させるためのプログラム。
【発明の詳細な説明】
【技術分野】
【０００１】
本発明は、コンテンツをネットワーク経由でダウンロード端末が取得する形態のコンテンツ販売システム及びプログラムに係り、特に、モバイル担体、ダウンロード端末及び配信サーバからなるコンテンツ販売システム及びプログラムに関する。
【背景技術】
【０００２】
近年、携帯電話やインターネットといった通信技術の発展に伴い、コンテンツをネットワーク経由でダウンロード端末に販売する形態のコンテンツ販売システムが用いられてきている。以下、本明細書中では、映画等のＤＶＤパッケージメディアを販売する形態ではなく、ＤＶＤレコーダ等を用いて記録型ＤＶＤメディア等にダウンロードする販売方式を対象とする。ダウンロードする販売方式では、すでに普及しているＤＶＤパッケージメディアを応用しているため、既存のインフラを利用しやすい、コンテンツの提供者からみて、ＤＶＤメディアのコンテンツ保護技術を利用できるなどの利点がある。
【０００３】
この種のコンテンツ販売システムを更に改良する場合、本発明者の考察によれば、例えば「コンテンツの著作権保護技術」、「コンテンツ販売」、「ＤＶＤ／ＨＤＤレコーダの遠隔制御」、「携帯電話等を使ったサービス」といった幾つかの関連技術を検討する必要がある。以下、順に説明する。
【０００４】
（コンテンツの著作権保護技術）
一般に、著作権保護及び販売に関しては、幾つかの規格や技術がある（例えば非特許文献１参照）。特に、コンテンツのネットワーク販売においては、複数のコンテンツ保護の技術が提案されている。これらの共通点は、コンテンツを暗号化し、コンテンツを復号するためのコンテンツ鍵を販売することである。ここで、コンテンツ鍵は、不正なコピーを防ぐため、購入者側の特定の機器またはメディアでしか利用できない形で販売される。このため、コンテンツ鍵は、購入者側の機器またはメディアの固有識別情報に基づいて、販売者側の配信サーバ等で暗号化されて販売される。
【０００５】
（コンテンツ販売）
以上のようなコンテンツ保護の技術では、コンテンツ購入時に機器またはメディアの固有情報をコンテンツ鍵を販売する配信サーバに送信し、配信サーバ上でコンテンツ鍵を暗号化してもらう必要がある。
【０００６】
（ＤＶＤ／ＨＤＤレコーダの遠隔制御）
ＤＶＤ／ＨＤＤレコーダなどでは、宅外から携帯電話などを用いてＤＶＤ／ＨＤＤレコーダにアクセスし、番組の録画予約などを行う機能がある。例えば特許文献１には、携帯電話が番組情報メールを送信し、サービスサーバ、録画予約情報のログを記録した後、録画予約操作情報を送信し、ＶＴＲ装置が番組録画予約を行なう機能が開示されている。特許文献２，３には、通信端末にバーコードやＧコードを入力し、録画再生機器操作装置をコントロールする機能が開示されている。
【０００７】
このように携帯電話などから番組の録画予約をする機能を応用することで、ＤＶＤレコーダを制御してコンテンツを予めＨＤＤにダウンロードさせておくことは可能である。
【０００８】
しかしながら、コンテンツ鍵を取得するには、録画予約機能とは異なり、メディア固有情報を販売サーバに送信する必要があるが、ＤＶＤメディアが常にＤＶＤレコーダに挿入されているとは限らない。ＤＶＤメディアが挿入されていない場合、メディア固有情報を送信できないため、宅外からの携帯電話による予約販売が不可能となる。
【０００９】
（携帯電話等を使ったサービス）
携帯電話等で、クーポンを利用したサービスが知られている。例えば特許文献４には、店舗がクーポンデータを携帯端末に送信し、利用者が携帯端末を店舗に持参してＰＯＳレジスタあるいはクーポン発行機にクーポンデータを無線で送信し、クーポンのサービスを受ける技術が開示されている。特許文献５には、チケットを購入する手段、チケットを識別する識別コードを携帯端末に送信するチケットセンタと、識別コードを表示手段に表示する携帯端末とからなる技術が開示されている。特許文献６には、公開鍵暗号を用いてチケット情報を保護する技術が開示されている。
【００１０】
しかしながら、ＤＶＤメディアを利用したコンテンツ販売では、ＤＶＤメディアの固有情報が必要であるので、上述したクーポンの関連技術をそのままでは利用できない。
【非特許文献１】ＵＤＡＣ−ＭＢ（Universal Distribution with Access Control-Media Base）（http://www.keitaide-music.org）
【特許文献１】特開２００３−１７９９０７号公報
【特許文献２】特開２００３−１１５１３９号公報
【特許文献３】特開２００３−１２５４６９号公報
【特許文献４】特開２００２−２０７９０７号公報
【特許文献５】特開２００３−２４２２８７号公報
【特許文献６】特開２００３−６６８３６号公報
【発明の開示】
【発明が解決しようとする課題】
【００１１】
以上説明したように、従来のコンテンツ販売システムでは、利用者がＤＶＤレコーダにＤＶＤメディアを挿入し、コンテンツを販売する配信サーバにアクセスして、ＤＶＤレコーダの操作画面上で操作してコンテンツを購入することが前提となる。
【００１２】
本発明者の検討によれば、仮に携帯電話等からコンテンツの権利だけを購入し、後でＤＶＤレコーダにＤＶＤメディアを挿入してコンテンツのダウンロードとコンテンツ鍵の取得を行おうとした場合、以下の問題（１）〜（４）が発生すると考えられる。
【００１３】
（１）コンテンツを購入する際、著作権保護の仕組み上、メディア固有情報を配信サーバに送信する必要があり、携帯電話上ではＤＶＤメディアの情報を取得できない。メディア固有情報を配信サーバに送信するのは、コンテンツの再生を特定のＤＶＤメディアのみに許可するため、必要である。既存の著作権保護の仕組みでは、コンテンツは特定のＤＶＤメディアに依存して暗号化されるため、他のＤＶＤメディアにコピーしても再生できないようになっている。
【００１４】
（２）ＤＶＤメディアの情報を取得するには、利用者がＤＶＤメディアをＤＶＤレコーダに挿入する作業が必要である。仮に、携帯電話からＤＶＤレコーダを遠隔制御し、ＤＶＤレコーダ上でコンテンツを購入しようとしても、ＤＶＤメディアがＤＶＤレコーダに挿入されているとは限らないため、コンテンツ鍵を取得できるとは限らない。
【００１５】
（３）仮に、携帯電話上ではコンテンツの予約のみとし、後でＤＶＤレコーダ上でコンテンツを正式に購入する方式をとると、ユーザからみた場合、通常のＤＶＤレコーダ上でコンテンツを購入する方法と何ら変わりがなく、メリットがない。特に、ＤＶＤレコーダは一般にＧＵＩが貧弱であること、家族など複数人が使用することを考えると、ＤＶＤレコーダ上で決済情報を入力・送信することは好ましくない。
【００１６】
（４）仮に、携帯電話上ではコンテンツの予約のみとし、後でＤＶＤレコーダ上でコンテンツ鍵を取得する方式をとると、コンテンツを販売する事業主からみた場合、誰がどのコンテンツを購入したかという個人情報を配信サーバ上で管理することになり、好ましくない。
【００１７】
本発明は上記実情を考慮してなされたもので、メディア固有情報を配信サーバに送信でき、メディアがダウンロード端末に保持されていなくてもコンテンツを購入でき、ダウンロード端末上で決済情報を入力・送信せず、配信サーバ上で個人情報を管理する必要がないコンテンツ販売システム及びプログラムを提供することを目的とする。
【課題を解決するための手段】
【００１８】
第１の発明は、暗号化コンテンツを配信可能な配信サーバがモバイル担体に向けて購入ＩＤを送信し、この購入ＩＤが入力されたダウンロード端末が当該購入ＩＤ及びメディアＩＤに基づいて、前記配信サーバから前記暗号化コンテンツを復号するためのコンテンツ鍵が暗号化されてなる暗号化コンテンツ鍵をダウンロードするコンテンツ販売システムであって、前記配信サーバとしては、前記モバイル担体の保持装置から決済情報を受信して前記暗号化コンテンツ鍵を取得する権利を販売したとき、この販売の完了を示す購入ＩＤを発行し、当該購入ＩＤを前記モバイル担体に向けて送信するコンテンツ販売手段と、前記購入ＩＤが前記暗号化コンテンツのコンテンツＩＤと関連付けて記憶される購入情報記憶手段と、前記ダウンロード端末から前記購入ＩＤ、メディアＩＤ及びコンテンツＩＤを含むダウンロード要求を受けると、前記購入情報記憶手段を参照して購入ＩＤを確認する購入ＩＤ確認手段と、確認された購入ＩＤに対応するコンテンツＩＤの暗号化コンテンツを復号するためのコンテンツ鍵を、前記メディアＩＤに基づいて暗号化し、暗号化コンテンツ鍵を得るコンテンツ鍵暗号化手段と、得られた暗号化コンテンツ鍵を前記ダウンロード端末に返信するコンテンツ鍵送信手段とを備え、前記ダウンロード端末としては、前記ダウンロード要求を配信サーバに送信するダウンロード要求送信手段と、前記配信サーバから暗号化コンテンツ鍵を受信する暗号化コンテンツ鍵受信手段とを備えたコンテンツ販売システムである。
【００１９】
第２の発明は、暗号化コンテンツを配信可能な配信サーバがモバイル担体との間で決済処理を実行し、この決済処理に用いた利用者ＩＤが入力されたダウンロード端末が当該利用者ＩＤ及びメディアＩＤに基づいて、前記配信サーバから前記暗号化コンテンツを復号するためのコンテンツ鍵が暗号化されてなる暗号化コンテンツ鍵をダウンロードするコンテンツ販売システムであって、前記配信サーバとしては、前記モバイル担体の保持装置から利用者ＩＤ及び決済情報を受信して前記暗号化コンテンツ鍵を取得する権利を販売したとき、前記利用者ＩＤ、前記暗号化コンテンツのコンテンツＩＤ、前記暗号化コンテンツ鍵の未発行を示す発行状態情報、が関連付けて記憶される購入履歴記憶手段と、前記ダウンロード端末から前記利用者ＩＤ、メディアＩＤ及びコンテンツＩＤを含むダウンロード要求を受信する手段と、前記ダウンロード要求に含まれる利用者ＩＤ及びコンテンツＩＤに対応する暗号化コンテンツを復号するためのコンテンツ鍵を、前記メディアＩＤに基づいて暗号化し、暗号化コンテンツ鍵を得るコンテンツ鍵暗号化手段と、得られた暗号化コンテンツ鍵を前記ダウンロード端末に送信するコンテンツ鍵送信手段と、前記暗号化コンテンツ鍵をダウンロード端末に送信するとき、前記発行状態情報を発行済を示すように変更する状態情報変更手段とを備え、前記ダウンロード端末としては、前記ダウンロード要求を配信サーバに送信するダウンロード要求送信手段と、前記配信サーバから暗号化コンテンツ鍵を受信する暗号化コンテンツ鍵受信手段とを備えたコンテンツ販売システムである。
【００２０】
ここで、モバイル担体と、モバイル担体の保持装置とは、一体的な単一装置であってもよく、別々の装置であってもよい。単一装置の場合、モバイル担体の保持装置は、例えば携帯電話であり、モバイル担体は携帯電話内のメモリである。別々の装置の場合、モバイル担体の保持装置は、例えば自宅外に設けられた通信端末であり、モバイル担体は通信端末に着脱可能なメモリ装置である。
【００２１】
（作用）
第１の発明は、モバイル担体の保持装置が決済情報を配信サーバに送信して暗号化コンテンツ鍵を取得する権利を購入する構成により、メディアがダウンロード端末に保持されていなくてもコンテンツを購入でき、ダウンロード端末上で決済情報を入力・送信しなくて済む。また、配信サーバは購入ＩＤ及びコンテンツＩＤを管理すればよいので、配信サーバ上で個人情報を管理する必要がない。また、ダウンロード端末は、モバイル担体による購入ＩＤの取得後、メディアを保持してメディアＩＤ（メディア固有情報）を含むダウンロード要求を送信するので、メディア固有情報を配信サーバに送信できる。
【００２２】
第２の発明は、第１の発明と同様に、モバイル担体の保持装置が決済情報を配信サーバに送信して暗号化コンテンツ鍵を取得する権利を購入する構成により、メディアがダウンロード端末に保持されていなくてもコンテンツを購入でき、ダウンロード端末上で決済情報を入力・送信しなくて済む。また、配信サーバは利用者ＩＤ及びコンテンツＩＤを管理すればよいので、配信サーバ上で個人情報（氏名、住所等）を管理する必要がない。また、ダウンロード端末は、モバイル担体による利用者ＩＤの取得後、メディアを保持してメディアＩＤ（メディア固有情報）を含むダウンロード要求を送信するので、メディア固有情報を配信サーバに送信できる。
【００２３】
すなわち、第１及び第２の発明は、両者とも、メディア固有情報を配信サーバに送信でき、メディアがダウンロード端末に保持されていなくてもコンテンツを購入でき、ダウンロード端末上で決済情報を入力・送信せず、配信サーバ上で個人情報を管理する必要がない。
【発明の効果】
【００２４】
以上説明したように、本発明によれば、メディア固有情報を配信サーバに送信でき、メディアがダウンロード端末に保持されていなくてもコンテンツを購入でき、ダウンロード端末上で決済情報を入力・送信せず、配信サーバ上で個人情報を管理する必要がないコンテンツ販売システム及びプログラムを提供できる。
【発明を実施するための最良の形態】
【００２５】
以下、本発明の各実施形態について図面を参照しながら説明するが、その前に各実施形態の概要を述べる。各実施形態では、コンテンツ鍵の購入を、権利の取得と、特定のメディアにバインドされたコンテンツ鍵の取得の２段階に分けている。権利の取得と課金はモバイル機器上で行い、例えば購入ＩＤを取得する。後に、ＤＶＤレコーダ（ダウンロード端末）では、メディアが挿入されると、購入ＩＤとメディアの固有情報を配信サーバに送信し、バインドされたコンテンツ鍵を取得する。配信サーバは、購入ＩＤが正当で、且つどのメディアにもバインドされていない場合に限り、メディアにバインドされたコンテンツ鍵を生成し、ダウンロード端末に返信する。
【００２６】
ここで、第１の実施形態は、購入ＩＤを携帯電話等のモバイル機器に表示させ、ＤＶＤレコーダに手入力する。購入ＩＤはメディアにバインドされた時点で消滅する使い捨てのＩＤでよく、１０桁程度の乱数でよい。
【００２７】
第２の実施形態は、購入ＩＤの推測を防ぐため、購入ＩＤをパスワードで暗号化する。ＤＶＤレコーダに入力する際は、パスワードを手入力する。暗号化された購入ＩＤは、ビット長が長くなる。そこで、入力の手間を省くため、モバイル機器とＤＶＤレコーダで近距離通信を行い、モバイル機器からＤＶＤレコーダに暗号化購入ＩＤを転送する。
【００２８】
第３の実施形態は、ポータルにより、購入したコンテンツを選択する。利用者はポータル上でコンテンツを購入し、ＤＶＤレコーダからポータルにアクセスして、ＧＵＩで購入済みコンテンツを選択する。
【００２９】
第４の実施形態は、ポータルを利用する際の、ＤＶＤレコーダのユーザ登録に関する。モバイル機器上で、ポータルのユーザ登録をする。次に、ＤＶＤレコーダからポータルにアクセスし、ＤＶＤレコーダを登録する。この際、モバイル機器とＤＶＤレコーダで近距離通信を行い、モバイル機器の識別情報を送信する。ポータル側でＤＶＤレコーダの機器情報とモバイル機器の識別情報のマッピングを管理する。
【００３０】
（第１の実施形態）
第１の実施形態は、外出先等で、携帯電話などのモバイル機器上でコンテンツを購入し、購入ＩＤを取得する。自宅のＤＶＤレコーダ上で購入ＩＤを入力することで、コンテンツ鍵の取得とコンテンツのダウンロード、再生を行う。
【００３１】
図１は本発明の第１の実施形態に係るコンテンツ販売システムの構成を示す模式図である。このシステムは、モバイル機器１０、ＤＶＤレコーダ２０、配信サーバ３０から構成される。
【００３２】
モバイル機器１０は、携帯電話等の、ブラウザ／メール機能１１を持つ通常の機器である。コンテンツの権利を購入した際、配信サーバから送信される購入ＩＤを表示する機能１２が必要であるが、これはブラウザ／メール機能を用いて実現してもよい。購入ＩＤ表示用のアプリケーションであってもよい。
【００３３】
ＤＶＤレコーダ２０は、購入ＩＤ入力機能２１、暗号化コンテンツ鍵要求機能２２、ＤＶＤドライブ機能２３からなる。実際には、これら機能のほかに、コンテンツをダウンロードする機能、ＤＶＤコンテンツを再生する機能が必要となるが、本発明の範囲外であり、説明の簡略化のため、記載を省略する。
【００３４】
購入ＩＤ入力機能２１は、利用者が購入ＩＤを入力する機能である。購入ＩＤは例えば１０桁程度の乱数コードなどがありえる。入力方法はリモコンで入力するなどの既存の方法が利用できる。利用者が購入ＩＤを入力すると、本機能２１は暗号化コンテンツ鍵要求機能２２に対し、購入ＩＤを渡して暗号化コンテンツ鍵の要求命令を出す。
【００３５】
暗号化コンテンツ鍵要求機能２２は、ＤＶＤドライブ機能２３を用いてＤＶＤメディア４０からメディア固有情報を取得し、購入ＩＤと共に配信サーバ３０に暗号化コンテンツ鍵要求を出す。暗号化コンテンツ鍵要求には、少なくとも購入ＩＤとメディア固有情報が含まれる。メディア固有情報は、ＤＶＤメディア４０の仕様で決められており、例えばＤＶＤ−ＲＡＭなどのメディアではメディアＩＤ、ＭＫＢと呼ばれる鍵束情報が相当する。なお、暗号化コンテンツ鍵要求機能２２は、暗号化コンテンツ鍵を要求する際に、その他の通信を行う場合がある。例えばＤＶＤドライブ機能２３と配信サーバ間での認証用の通信などである。これら機能は、各ＤＶＤメディア４０の仕様で決められており、既存技術の範疇なので、ここでは詳細を省く。
【００３６】
ＤＶＤドライブ機能２３は、ＤＶＤメディア４０にアクセスし、必要な情報の読出／書込機能をもつ。
【００３７】
配信サーバ３０は、携帯向けコンテンツ販売機能３１、コンテンツ鍵送信機能３２、暗号化コンテンツ鍵生成機能３３、購入情報ＤＢ３４、チケット情報ＤＢ３５、コンテンツ鍵ＤＢ３６からなる。
【００３８】
携帯向けコンテンツ販売機能３１は、モバイル機器１０からのアクセスに対し、購入可能なコンテンツの一覧表示やコンテンツの購入、課金・決済機能を持つ。これら機能は既存ＥＣサイトと同様の機能である。携帯向けコンテンツ販売機能３１は、通常のＥＣサイトの処理に類似してコンテンツの選択と課金・決済などを済ますと、購入ＩＤを発行し、購入情報ＤＢ３４に記録する。購入情報ＤＢ３４は、図２に示すように、購入ＩＤ毎にコンテンツＩＤ及び購入条件が記述されたテーブルを記憶したメモリであり、購入ＩＤはＤＢ中で一意でなければならない。なお、購入情報ＤＢ３４は、メモリに限らず、その他の記憶装置でもよく、また、例えば専用線を介して接続されたハードディスクといったように配信サーバ３０の外部にあってもよい。このように任意の記憶装置でよく、また配信サーバの外部に配置されてもよい旨は、後述する他のＤＢ３５，３６，３８でも同様である。
【００３９】
携帯向けコンテンツ販売機能３１は、購入ＩＤを発行すると、モバイル機器１０に返信する。返信の仕方は、（ａ）ＨＴＭＬの画面として表示する、（ｂ）モバイル機器１０上で起動されているアプリケーションに返信し、アプリケーションが画面に表示する、（ｃ）メールとして返信する等、既存の携帯向けサイトで利用されている実現方法でよい。なお、購入情報ＤＢ３４には購入条件などの情報を記録してもよい。例えば販売なのかレンタルなのか、レンタルであれば何日間視聴可能であるかなどの情報を記録してよい。
【００４０】
コンテンツ鍵送信機能３２は、ＤＶＤレコーダ２０から暗号化コンテンツ鍵要求を受け付け、暗号化コンテンツ鍵を返信する。コンテンツ鍵送信機能３２はＤＶＤレコーダ２０から購入ＩＤを受け取ると、購入情報ＤＢ３４を検索し、購入ＩＤのエントリが存在することを確認する。エントリが存在しない場合にはエラーを返信する。エントリが存在する場合には、エントリのコンテンツＩＤを取得し、ＤＶＤレコーダ２０から受信したメディア固有情報と合わせて暗号化コンテンツ鍵生成機能３３に渡し、暗号化されたコンテンツ鍵を受け取る。
【００４１】
次にコンテンツ鍵送信機能３２は、購入情報ＤＢ３４の購入ＩＤのエントリを削除し、代わりにチケットを生成してチケット情報ＤＢ３５にエントリを追加する。チケット情報ＤＢ３５は、図３に示すように、チケットＩＤ毎に、メディアＩＤ、コンテンツＩＤ、暗号化コンテンツ鍵及び購入条件が記述されたテーブルが記憶されるメモリであるが、これに限らず、少なくともメディアＩＤ（メディア固有情報）及びコンテンツＩＤからなるデータが記憶されればよい。なお、チケットＩＤと暗号化コンテンツ鍵の列を用いた場合、ＤＶＤレコーダ２０が暗号化コンテンツ鍵を取得した後、誤って暗号化コンテンツ鍵を削除してしまった際に、ＤＶＤレコーダ２０はチケットＩＤを提示することで、発行済みの暗号化コンテンツ鍵を再取得可能となる。
【００４２】
コンテンツ鍵送信機能３２は、チケット情報を生成すると、チケット情報と暗号化コンテンツ鍵をＤＶＤレコーダ２０に返信する。
【００４３】
暗号化コンテンツ鍵生成機能３３は、コンテンツＩＤ、メディア固有情報を受け取り、暗号化したコンテンツ鍵を出力する。コンテンツ鍵の暗号化方法は、ＤＶＤメディア４０の仕様で決められている。例えば、ＤＶＤ−ＲＡＭなどでは、コンテンツ鍵を暗号化する暗号化鍵を生成する際、メディアＩＤが利用される。暗号化コンテンツ鍵生成機能３３は、コンテンツ鍵ＤＢ３６から、コンテンツＩＤをキーとしてコンテンツ鍵を読み出し、所定の暗号化処理を加えて暗号化コンテンツ鍵として出力する。コンテンツ鍵ＤＢ３６は、図４に示すように、コンテンツＩＤ毎にコンテンツ鍵が記述されたテーブルが記憶されるメモリである。
【００４４】
次に、以上のように構成されたシステムの動作を図５のフローチャートを用いて説明する。
【００４５】
利用者は、外出先で、携帯電話等のモバイル機器１０でコンテンツの配信サーバ３０のサイトにアクセスし、コンテンツの権利を購入する（ＳＴ１）。購入の際、配信サーバ３０上で課金・決済が完了する（ＳＴ２）。
【００４６】
配信サーバ３０では、購入ＩＤを発行し（ＳＴ３）、モバイル機器１０上でＩＤが表示される。購入ＩＤは購入してから暗号化コンテンツ鍵を生成するまでの短時間だけ利用され、不要になると再利用してよい。購入ＩＤは他の者に推測されないだけの長さがあればよく、ユーザ数と購入の頻度によっては、１０桁程度の乱数でもよい。ＩＤの表示はＨＴＭＬの形でブラウザで表示されてもよいし、専用のアプリケーション上で表示されてもよい。あるいは、配信サーバ３０は、課金完了後、購入ＩＤが書かれたメールをモバイル機器１０宛に送信してもよい。購入ＩＤの表示は既存のＥＣサイトで行われている方法でよい。
【００４７】
利用者は購入ＩＤを取得後（ＳＴ４）、自宅に戻り、ＤＶＤレコーダ２０にＤＶＤメディア４０を挿入した後、購入ＩＤを入力する（ＳＴ５）。購入ＩＤの入力はＤＶＤレコーダ２０のリモコンなどを使用してよく、既存のＤＶＤレコーダ４０の入力手段が利用できる。ＤＶＤレコーダ２０は購入ＩＤを入力されると、ＤＶＤメディア４０からメディア固有情報を読み込み、購入ＩＤと合わせて配信サーバ３０に送信する（ＳＴ６）。
【００４８】
配信サーバ３０では、購入ＩＤの妥当性をチェックした後（ＳＴ７）、チケット情報を作成する（ＳＴ８）。チケットはメディア固有情報とコンテンツＩＤのセットの情報である。同時にメディア固有情報を用いてコンテンツ鍵を暗号化し（ＳＴ９）、チケット情報と一緒にＤＶＤレコーダ２０に返信する。
【００４９】
ＤＶＤレコーダ２０は暗号化コンテンツ鍵を受信すると、ＤＶＤメディア４０に保存する（ＳＴ１０）。チケット情報はＤＶＤレコーダ２０側で保持しておき、暗号化コンテンツ鍵を誤って削除した場合に再取得するために利用できる。
【００５０】
ＤＶＤレコーダ２０は暗号化コンテンツ鍵をＤＶＤメディア４０に保存の後、暗号化コンテンツのダウンロードを開始する（ＳＴ１１）。ダウンロードと同時に、ダウンロード済みのコンテンツの断片を用いて再生を開始してもよい。この場合、利用者は購入ＩＤを入力後、配信サーバ３０との通信時間程度の待ち時間ですぐにコンテンツを再生することができる（ＳＴ１２）。
【００５１】
なお、暗号化コンテンツ鍵を取得した後は、同一購入ＩＤを用いて別のＤＶＤメディア用のコンテンツ鍵を取得することはできない。これは、配信サーバ側でＤＶＤレコーダ２０からの購入ＩＤを受け付け、チケット情報を生成すると同時に購入ＩＤのデータを削除することで実現する。
【００５２】
上述したように本実施形態によれば、モバイル機器１０が決済情報を配信サーバ３０に送信して暗号化コンテンツ鍵を取得する権利を購入する構成により、ＤＶＤメディア４０がＤＶＤレコーダ２０に保持されていなくてもコンテンツを購入でき、ＤＶＤレコーダ２０上で決済情報を入力・送信しなくて済む。また、配信サーバ３０は購入ＩＤ及びコンテンツＩＤを管理すればよいので、配信サーバ上で個人情報を管理する必要がない。また、ＤＶＤレコーダ２０は、モバイル機器１０による購入ＩＤの取得後、ＤＶＤメディア４０を保持してメディアＩＤ（メディア固有情報）を含むダウンロード要求を送信するので、メディア固有情報を配信サーバ３０に送信できる。
【００５３】
すなわち、本実施形態によれば、メディア固有情報を配信サーバ３０に送信でき、ＤＶＤメディア４０がＤＶＤレコーダ２０に保持されていなくてもコンテンツを購入でき、ＤＶＤレコーダ２０上で決済情報を入力・送信せず、配信サーバ３０上で個人情報を管理する必要がない。
【００５４】
また、購入者からみた場合、モバイル機器１０上で購入を済ませることができるので、欲しいと思ったときにコンテンツ販売サイトにアクセスしてコンテンツを購入することができる。購入ＩＤは１０桁程度の乱数であり、ＤＶＤレコーダ２０上で簡単に入力することができる。
【００５５】
コンテンツ販売側からみると、所持している時間が多いモバイル機器１０等でコンテンツ購入可能とすることで、販売の機会を増やすことができる。この際、コンテンツ販売のサイトでは、通常のＥＣサイトの機能に加えて１０桁程度の購入ＩＤを返信するだけでよいので、既存のＥＣサイトの機能を大幅に変更する必要がない。
【００５６】
ＤＶＤレコーダ２０の開発者にとっては、コンテンツの購入や決済などがモバイル機器１０上で行われるため、これらを実現するＧＵＩ機能をＤＶＤレコーダ２０上に組み込む必要がなく、１０桁程度の購入ＩＤを入力するＧＵＩがあれば十分である。例えば、既存のリモコンなどを利用することができ、ＤＶＤレコーダ２０の開発が容易になる。
【００５７】
ＤＶＤレコーダ２０は、チケット情報を配信サーバ３０に提示することで、暗号化コンテンツ鍵を何度でも再取得要求することができる。例えば、ＤＶＤ−ＲＡＭでは、コンテンツ鍵はＤＶＤメディア４０の利用者が自由にアクセスできる領域に記録されるため、利用者が誤って削除してしまうことが多いにありうる。ただし、再取得する場合には、最初に暗号化コンテンツ鍵を発行したときに使用したＤＶＤメディア４０と同一メディアでなければならない。これは再取得によるＤＶＤコンテンツの不正がコピーを防ぐための条件である。
【００５８】
ＤＶＤレコーダ２０にＤＶＤメディア４０を挿入後、すぐにコンテンツを鑑賞できる。権利購入と同時に、ＤＶＤレコーダ４０を遠隔制御し、コンテンツのダウンロードを開始させることができる。自宅に戻った時点でダウンロードを済ませておけば、暗号化コンテンツ鍵を取得するだけで、すぐにコンテンツを再生することができる。
【００５９】
または、ＤＶＤメディア４０を挿入したのち、暗号化コンテンツのダウンロードと同時に暗号化コンテンツの復号及び再生を開始してもよい。ストリーミングと異なり、ダウンロードしたコンテンツはＤＶＤメディア４０に記録されるため、ＤＶＤメディア４０さえあれば、後で何回でも鑑賞することができる。
【００６０】
配信サーバ３０は、コンテンツの権利購入時に決済をすませ、購入ＩＤのみを管理するため、個人情報の管理が不要となる。すなわち、メディアにバインドした後は、メディアとコンテンツの関連情報のみで、個人を特定する情報は必要ない。また、機器にバインドする方式と異なり、機器固有の情報も不要である。機器情報は個人を特定できる可能性があり長期にわたって管理するのは好ましくない。
【００６１】
ＤＶＤレコーダ２０としては、課金処理をモバイル機器１０の決済機能で実現することで、課金のための仕組みを持つ必要がなくなる。特に、ＤＶＤレコーダ２０は、ユーザインターフェースが限られていること、利用者が一人でなく、家族全員が利用すること等から、決済を行うのは困難な場合が多い。このため、決済を個人のモバイル機器１０で済ませられるのは消費者にとって利点がある。
【００６２】
（第２の実施形態）
第１の実施形態では、購入ＩＤが仮に他者に推測された場合、他者に先に暗号化コンテンツ鍵を取得されてしまう可能性がある。暗号化コンテンツ鍵は特定の１枚のメディアにのみ発行可能なため、他者に先に取得されると、自分は取得できなくなってしまう。
【００６３】
第２の実施形態は、このような状況を考慮し、購入ＩＤをより安全に交換する方法を述べる。通常、購入ＩＤを推測しにくくする方法としては、ＩＤのデータ長を長くする方式が考えられる。しかし、長いデータ長の購入ＩＤは、ＤＶＤレコーダ２０のリモコン等で入力する操作が困難になる。そこで、第２の実施形態では、購入ＩＤをパスワードで暗号化し、さらに、暗号化された購入ＩＤをモバイル機器・ＤＶＤレコーダ間で近距離通信により転送する。
【００６４】
図６は本発明の第２の実施形態に係るコンテンツ販売システムの構成を示す模式図であり、図１と同一部分には同一符号を付してその詳しい説明を省略し、ここでは、異なる部分について主に述べる。なお、以下の各実施形態も同様にして重複した説明を省略する。
【００６５】
すなわち、本実施形態は、第１の実施形態の変形例であり、購入ＩＤをパスワードで保護する構成である。
【００６６】
これに伴い、モバイル機器１０ｃは、前述した購入ＩＤ表示機能１２に代えて、購入ＩＤの発行を受けるためのパスワードを配信サーバに送信する購入ＩＤ送信機能１３を備えている。
【００６７】
配信サーバ３０ｃは、前述した形態向けコンテンツ販売機能３１において、発行した購入ＩＤをパスワードにより暗号化し、得られた暗号化購入ＩＤをモバイル機器１０ｃに送信する機能を備えている。
【００６８】
ＤＶＤレコーダ２０ｃは、前述した購入ＩＤ入力機能２１に代えて、パスワード入力機能２４及び購入ＩＤ受信機能２５を備えている。
【００６９】
パスワード入力機能２４は、利用者により手入力されたパスワードを購入ＩＤ受信機能に送出するものである。
【００７０】
購入ＩＤ受信機能２５は、モバイル機器１０ｃから暗号化購入ＩＤを受信する機能と、、パスワード入力機能２４を介して入力されたパスワードに基づいて、暗号化購入ＩＤを復号する機能と、復号により得られた購入ＩＤを暗号化コンテンツ鍵要求機能２２に送出する機能とをもっている。
【００７１】
次に、以上のように構成されたコンテンツ販売システムの動作を図７のフローチャートを用いて述べる。
【００７２】
利用者は外出先で、携帯電話等のモバイル機器１０ａでコンテンツの配信サーバ３０ａのサイトにアクセスし、コンテンツの権利を購入する。購入の際、利用者が任意に選んだパスワードをモバイル機器１０ａで入力し（ＳＴ１ａ）、配信サーバ３０ａに送信する。購入の際、配信サーバ３０ａ上で課金・決済が完了する（ＳＴ２）。配信サーバ３０ａでは購入情報を購入情報ＤＢ３４に記録する。購入ＩＤはパスワードを用いて暗号化し、モバイル機器１０ａに返信する（ＳＴ３ａ）。暗号化の方式は任意の方法でよい。例えば、パスワードのハッシュ値を求め、これを暗号化鍵として購入ＩＤを暗号化し、暗号化購入ＩＤを得る。暗号化購入ＩＤは、暗号化アルゴリズムに対応した長さのブロック長をもつ。購入ＩＤが容易に他者に推測されないようにするには、ブロック長を十分長くすればよい。暗号化購入ＩＤはモバイル機器１０ａに返信され、モバイル機器１０ａに保存される（ＳＴ４ａ）。
【００７３】
利用者は暗号化購入ＩＤを取得後、自宅に戻り、ＤＶＤレコーダ２０ａとモバイル機器１０ａとの間で近距離通信を行う。モバイル機器１０ａの購入ＩＤ送信機能１３は、ＤＶＤレコーダ２０ａの購入ＩＤ受信機能２５に対し、暗号化購入ＩＤを送信する。近距離通信は、赤外線通信やブルートゥース、無線ＬＡＮなどでよい。
【００７４】
購入ＩＤ受信機能２５は、モバイル機器１０ａから暗号化購入ＩＤを受信すると（ＳＴ５ａ−１）、パスワード入力機能２４を用いて利用者にパスワードの入力を求める。パスワード入力機能２４は、ＤＶＤレコーダ２０ａの制御画面にパスワードの入力を促すメッセージを表示する。利用者はリモコンなどを用いてパスワードを入力すると（ＳＴ５ａ−２）、パスワード入力機能２４は、入力されたパスワードを購入ＩＤ受信機能２５に返す。
【００７５】
購入ＩＤ受信機能２５は、配信サーバ３０ａ側の暗号化処理と同様に、パスワードから暗号化鍵を生成し、暗号化購入ＩＤを復号し（ＳＴ５ａ−３）、購入ＩＤを得る。
【００７６】
以下、第１の実施形態と同様に、購入ＩＤとメディア固有情報を配信サーバ３０ａに送信し（ＳＴ６）、暗号化されたコンテンツ鍵を取得する。
【００７７】
上述したように本実施形態によれば、第１の実施形態の効果に加え、購入ＩＤは暗号化され、暗号アルゴリズムで決まる十分な長さのブロック長のデータとなるため、容易に推測することはできない。また、暗号化された購入ＩＤに加え、パスワードを知らないと正しい購入ＩＤを取得できないため、他者に購入ＩＤを推測または知られる可能性が低い。
【００７８】
購入ＩＤはモバイル機器１０ａ・ＤＶＤレコーダ２０ａ間の近距離通信で行い、手入力されたパスワードにより復号される。パスワードは例えば４桁程度の乱数であれば、入力の手間を大幅に低減することができる。
【００７９】
（第３の実施形態）
外出先等で、携帯電話などのモバイル機器上でコンテンツを購入すると、個人のポータルサイトに購入したコンテンツの一覧が表示される。自宅のＤＶＤレコーダ上からポータルにアクセスし、再生するコンテンツを選択することで、コンテンツ鍵の取得とコンテンツのダウンロード、再生を行う。
【００８０】
図８は本発明の第３の実施形態に係るコンテンツ販売システムの構成を示す模式図である。本実施形態は、第１の実施形態の変形例であり、モバイル機器１０ｂから電子商取引サイトにアクセスしてコンテンツを購入する形態である。
【００８１】
モバイル機器１０ｂは、携帯電話等の、ブラウザ／メール機能１１を持つ通常の機器である。通常のＥＣサイトと同様に、配信サーバ３０ｂのコンテンツ販売ポータルサイトにアクセスし、コンテンツの権利の購入、購入済みコンテンツの確認、決済などを行う。
【００８２】
ＤＶＤレコーダ２０ｂは、購入コンテンツ選択機能２６、ＤＶＤドライブ機能２３からなる。
【００８３】
購入コンテンツ選択機能２６は、ブラウザと同等の機能をもち、配信サーバ３０ｂのＤＶＤレコーダ向けポータルサイトにアクセスする。アクセスの際、認証を行い、個人向けにカスタマイズされたポータル画面を表示する。認証は、利用者ＩＤで行う。認証の仕組みは、画面上で利用者がＩＤ/パスワードを入力してもよいし、ＤＶＤレコーダ２０ｂがＩＤ/パスワードを記憶していてもよい。既存のネットワーク接続型のＤＶＤレコーダ/ＨＤＤレコーダで採用されている方式でよい。画面の表示はＤＶＤレコーダ２０ｂに接続されたＴＶ画面やＰＣなどでよい。画面表示と入力機能は、ＤＶＤレコーダ/ＨＤＤレコーダなどですでに採用されている方式でよい。ポータル画面には過去に購入したコンテンツの一覧が表示される。利用者がコンテンツを選択すると、購入コンテンツ選択機能２６はＤＶＤドライブ機能２３を用いてＤＶＤメディア４０からメディア固有情報を取得し、選択したコンテンツのＩＤと共に配信サーバ３０ｂに暗号化コンテンツ鍵要求を出す。暗号化コンテンツ鍵要求には、ユーザＩＤ、コンテンツＩＤとメディア固有情報が含まれる。
【００８４】
ＤＶＤドライブ機能２３は、ＤＶＤメディア４０にアクセスし、必要な情報を読み込む/書き込む機能をもつ。
【００８５】
配信サーバ３０ｂは、前述した機能３１，３２及びＤＢ３４に代えて、携帯向けコンテンツ販売ポータル機能３７、購入履歴ＤＢ３８、ＤＶＤレコーダ向けコンテンツポータル機能３９を有している。
【００８６】
携帯向けコンテンツ販売ポータル機能３７は、モバイル機器１０ｂからのアクセスに対し、購入可能なコンテンツの一覧表示やコンテンツの購入、課金・決済機能を持つ。また、購入したコンテンツの一覧を確認できるようにしてよい。モバイル機器１０ｂからポータルにアクセスする際には、個人のＩＤ/パスワードを入力して、個人を特定する。なお、個人の認証はモバイル機器１０ｂの携帯電話会社が提供する認証機能を利用してもよく、この場合は、利用者はモバイル機器１０ｂ上でＩＤ/パスワードを入力する手間を省ける。携帯向けコンテンツ販売ポータル機能３７は、利用者が購入したコンテンツのＩＤを購入履歴ＤＢ３８に記録する。
【００８７】
購入履歴ＤＢ３８は、図９に示すように、利用者ＩＤ、コンテンツＩＤ、状態、チケットＩＤが記述されたテーブルが記憶されるメモリである。この他に購入条件などの情報を記録してもよい。例えば販売なのかレンタルなのか、レンタルであれば何日間視聴可能であるかなどの情報を記録してよい。状態は、購入時点では“購入済み（暗号化コンテンツ鍵は未発行）”となっており、チケットＩＤはブランクである。
【００８８】
ＤＶＤレコーダ向けポータル機能３９は、ＤＶＤレコーダ２０ｂからのブラウザアクセスに対し、コンテンツ一覧画面を送信し、利用者に再生するコンテンツの選択を促す。このとき、ＤＶＤレコーダ向けポータル機能３９は、利用者の認証を行う。認証の仕方は通常のＥＣサイトやＤＶＤレコーダ/ＨＤＤレコーダ向けサイトと同様の方式が採用できる。ＤＶＤレコーダ向けポータル機能３９は、認証結果として利用者ＩＤを取得すると、購入履歴ＤＢ３８を検索し、利用者ＩＤに関連付けられた購入履歴の一覧を取得し、図１０に示すコンテンツ選択画面ｇをＤＶＤレコーダ２０ｂに送信して表示させる。利用者がコンテンツを選択し、メディア固有情報と一緒に選択したコンテンツのＩＤが送信されると、利用者ＩＤとコンテンツＩＤをキーとして購入履歴ＤＢ３８を検索し、状態とチケットＩＤを調べる。状態が“購入済み”の場合、チケット情報を生成すると同時に、ＤＢの状態を“鍵発行済み”に、チケットＩＤを生成したチケット情報のＩＤに書き換え、チケット情報をチケット情報ＤＢ３５に記録する。
【００８９】
次に、暗号化コンテンツ鍵生成機能３３が生成した暗号化コンテンツ鍵をＤＶＤレコーダ２０ｂに返信する。状態が“鍵発行済み”の場合は、チケットＩＤをキーにしてチケット情報ＤＢ３５を検索し、生成済みのチケット情報を取得する。チケット情報のメディアＩＤとＤＶＤレコーダ２０ｂから送信されたメディアＩＤが同一であることを確認した後、チケット情報ＤＢ３５にキャッシュされている暗号化コンテンツ鍵を返信する。
【００９０】
次に、以上のように構成されたシステムの動作を図１１のフローチャートを用いて説明する。
【００９１】
利用者は外出先で、携帯電話等のモバイル機器１０ｂでコンテンツの配信サーバ３０ｂのサイトにアクセスし、コンテンツの権利を購入する（ＳＴ２１）。購入の際、配信サーバ３０ｂ上で課金・決済が完了する（ＳＴ２２）。配信サーバ３０ｂでは、購入履歴を購入履歴ＤＢ３８に記録する（ＳＴ２３）。この際、モバイル機器１０ｂ上で購入済みコンテンツの確認をしてもよい。購入済みコンテンツの一覧には新たに購入したコンテンツがリストアップされる。この時点では、コンテンツは“購入済み“の状態となっている。
【００９２】
利用者はコンテンツの権利の購入後、自宅に戻り、ＤＶＤレコーダ２０ｂにＤＶＤメディア４０を挿入した後、ＤＶＤレコーダ２０ｂにより、配信サーバ２４の個人向けポータルにアクセスする（ＳＴ２４）。
【００９３】
ポータルサイトにはその個人が購入したコンテンツの一覧がリストアップされる。コンテンツによって、“購入済み”の場合と、“鍵発行済み”のどちらかの状態をとる。“鍵発行済み”はすでに特定のＤＶＤメディア用にコンテンツ鍵が発行されている状態で、例えば誤ってコンテンツ鍵を削除してしまった場合に、同一ＤＶＤメディアを挿入してこのコンテンツを選択する。“購入済み”の場合は、新しいＤＶＤメディア４０を挿入してコンテンツを選択する（ＳＴ２５）。
【００９４】
ＤＶＤプレーヤ２０ｂは、ＤＶＤメディア４０からメディア固有情報を取得し、選択したコンテンツのＩＤと共に配信サーバに送信する（ＳＴ２６）。
【００９５】
配信サーバ３０ｂでは、選択されたコンテンツについて、“購入済み”であるか、“鍵発行済み”であるかを調べる（ＳＴ２７）。購入済みの場合は、メディア固有情報を元にチケット情報を生成後（ＳＴ２８）、購入情報ＤＢ３４の情報を“鍵発行済み”にする。チケット情報は第１の実施形態と同様にメディア固有情報とコンテンツＩＤのセットの情報である。配信サーバ３０ｂは、メディア固有情報を用いてコンテンツ鍵を暗号化し（ＳＴ２９）、チケット情報と一緒にＤＶＤレコーダ２０ｂに返信する。このとき、暗号化コンテンツ鍵は、後の再発行のために、キャッシュしておいてよい。
【００９６】
ＤＶＤレコーダ２０ｂが暗号化コンテンツ鍵を受信した後のステップＳＴ３０〜ＳＴ３２は、第１の実施形態のＳＴ１０〜ＳＴ１２と同じである。
【００９７】
一方、ステップＳＴ２７において、“発行済み”の場合は、すでに発行済みのチケット情報を調べ、ＤＶＤレコーダ２０ｂから送られたメディア固有情報がチケット情報に記載されたメディア固有情報と一致するかをチェックする（ＳＴ３３）。一致しない場合には、同一ＤＶＤコンテンツを複数のＤＶＤメディアにコピーしてしまうことになるので要求を破棄する。一致する場合には、すでにキャッシュしてある暗号化コンテンツ鍵を返信する（ＳＴ３４）。  
以下、ＤＶＤレコーダ２０ｂは、前述同様にステップＳＴ３０〜ＳＴ３２を実行する。
【００９８】
上述したように本実施形態によれば、モバイル機器１０ｂが決済情報を配信サーバ３０ｂに送信して暗号化コンテンツ鍵を取得する権利を購入する構成により、ＤＶＤメディア４０がＤＶＤレコーダ２０ｂに保持されていなくてもコンテンツを購入でき、ＤＶＤレコーダ２０ｂ上で決済情報を入力・送信しなくて済む。また、配信サーバ３０ｂは利用者ＩＤ及びコンテンツＩＤを管理すればよいので、配信サーバ３０ｂ上で氏名、住所、決済情報等を管理する必要がない。また、ＤＶＤレコーダ２０ｂは、モバイル機器１０ｂによる利用者ＩＤの取得後、ＤＶＤメディア４０を保持してメディアＩＤ（メディア固有情報）を含むダウンロード要求を送信するので、メディア固有情報を配信サーバ３０ｂに送信できる。
【００９９】
購入者からみた場合、過去に購入したコンテンツの一覧から自由にコンテンツを選んで再生することができる。さらに、一枚のＤＶＤメディア４０を上書きして複数のコンテンツをダウンロードし、再生することができる。ＤＶＤコンテンツのコピーを記録型ＤＶＤメディアにダウンロードするタイプのコンテンツ販売では、利用者はコンテンツの代金のほかにＤＶＤメディア代が別途かかるため、一枚のメディアで複数のコンテンツをダウンロード再生できることはコストメリットがある。
【０１００】
なお、本実施形態においては、配信サーバ３０ｂ上で利用者ＩＤとコンテンツＩＤの情報を管理することになる。この場合、利用者ＩＤを特定の個人と結びつかない匿名のＩＤとしておき、決済で必要な個人情報と直接には結びつかないようにしておけば、配信サーバ側で個人情報を管理するというリスクを回避できる。
【０１０１】
（第４の実施形態）
第３の実施形態ではモバイル機器からポータルにアクセスする際、およびＤＶＤレコーダからポータルにアクセスする際、利用者の認証が必要である。一般には、モバイル機器でのアクセスは、ＩＤ・パスワードをモバイル機器の画面上で入力する仕方の他、モバイル機器の機器識別情報（例えば電話番号など）から、利用者ＩＤにマッピングする方法が取られる。一方、ＤＶＤレコーダ側での利用者認証では、利用者のＩＤ・パスワードの入力の手間を省くため、同じくＤＶＤレコーダ固有の機器情報（例えばＭＡＣアドレスなど）から、利用者ＩＤにマッピングする方法がある。しかし、この場合、利用者は特定のＤＶＤレコーダでしかポータルにアクセスすることができない。例えばモバイル機器でコンテンツを購入した後、友人の自宅のＤＶＤレコーダでダウンロードして一緒に見るということは、この方法では困難である。そこで、第４の実施形態では、ＤＶＤレコーダからポータルにアクセスする際、モバイル機器を用いて利用者の認証を行う方法を述べる。
【０１０２】
図１２は本発明の第４の実施形態に係るコンテンツ販売システムの構成を示す模式図である。図示するように、モバイル機器１０ｃの機器情報送信機能１４、ＤＶＤレコーダ２０ｃの機器情報受信機能２７、およびゲートウェイ５０が追加されている。ゲートウェイ５０はモバイル機器１０ｃ等の通信キャリアの設備で、モバイル機器１０ｃとインターネットを中継するサーバシステムである。ゲートウェイ５０は、認証機能５１、利用者ＤＢ５２及び利用者問合せ機能５３を備えている。
【０１０３】
認証機能５１は、モバイル機器１０ｃから受けた機器情報（機器ＩＤ）を利用者ＤＢ５２と照合し、利用者ＩＤを取得する機能と、利用者ＩＤを提示して配信サーバ３０ｃへアクセスする機能とをもっている。
【０１０４】
利用者ＤＢ５２は、図１３に示すように、モバイル機器１０ｃの機器情報と利用者ＩＤとが関連付けて記憶されるメモリである。
【０１０５】
利用者問合せ機能５３は、配信サーバ３０ｃから機器情報を含む利用者問合せを受けると、利用者ＤＢ５２を参照し、機器情報に関連する利用者ＩＤを配信サーバに返信する機能を持っている。
【０１０６】
次に、以上のように構成されたコンテンツ販売システムの動作を図１４のフローチャートを用いて説明する。
【０１０７】
モバイル機器１０ｃからのアクセスは、認証機能５１を中継して携帯向けコンテンツ販売ポータル機能３７ｃに接続される。このとき、ブラウザ／メール機能１１は、機器情報送信機能１４からモバイル機器１０ｃの機器ＩＤを取得し、ゲートウェイ５０の認証機能５１に送信する（ＳＴ２１ｃ−１）。
【０１０８】
認証機能５１は、機器ＩＤを図１３に示す如き利用者ＤＢ５２と照合し、利用者ＩＤを取得する（ＳＴ２１ｃ−２）。配信サーバ３０ｃへのアクセスは、機器情報ではなく、利用者ＩＤを提示してアクセスする（ＳＴ２１ｃ−３）。
【０１０９】
ＤＶＤレコーダ２０ｃから配信サーバ３０ｃにアクセスする際には、モバイル機器１０ｃの機器情報送信機能１４と、ＤＶＤレコーダ２０ｃの機器情報受信機能２７の間で近距離通信を行い、機器情報を交換する（ＳＴ２４ｃ−１）。近距離通信は第２の実施形態に示したいくつかの方法のどれかでよい。機器情報受信機能２７は、機器情報を受け取ると（ＳＴ２４ｃ−２）、購入コンテンツ選択機能２６ｃを用いて、ＤＶＤレコーダ向けポータル機能３９ｃにアクセスする。この際、機器情報を提示する（ＳＴ２４ｃ−４）。
【０１１０】
ＤＶＤレコーダ向けポータル機能３９ｃは、ゲートウェイ５０の利用者問合せ機能５３に機器情報を送信し（ＳＴ２４ｃ−４）、利用者ＩＤを受取る（ＳＴ２４ｃ−５〜６）。
【０１１１】
この結果、ポータル機能３９ｃは、その利用者ＩＤの購入済みコンテンツの表示画面ｇをＤＶＤレコーダ２０ｃに送信する（ＳＴ２４ｃ−７）。後のステップＳＴ２５〜ＳＴ３４は、第３の実施形態と同じである。
【０１１２】
上述したように本実施形態によれば、第３の実施形態の効果に加え、ＤＶＤレコーダ２０ｃから配信サーバ３０ｃにアクセスする際に、配信サーバ３０ｃがゲートウェイ５０に利用者問合せを行なうので、ＤＶＤレコーダ２０ｃ側で利用者認証を行なう手間を省略することができる。
【０１１３】
例えば利用者はＤＶＤレコーダ２０ｃからポータルにアクセスする際、モバイル機器１０ｃを近づけるだけでよく、利用者認証のための操作を必要としない。また、特定のＤＶＤレコーダ２０ｃに限定されず、他の者の同等の機能をもつＤＶＤレコーダ２０ｃからでも個人のポータルにアクセスすることができる。
【０１１４】
なお、上記各実施形態は、携帯電話等のモバイル機器を用いた場合を説明したが、これに限らず、モバイル機器に代えて、携帯可能なメモリ装置（例、ＳＤカード等）と、メモリ装置を着脱自在に保持する通信端末とからなる構成としてもよい。具体的には、駅などに通信端末を設け、メモリ装置を通信端末に保持させた状態で、利用者が通信端末の操作により配信サーバ３０，３０ａ〜３０ｃにアクセスして決済処理を実行するように変形しても良い。決済処理の後、利用者はメモリ装置を自宅に持ち帰り、メモリ装置内の購入ＩＤなどをＤＶＤプレーヤ２０，３０ａ〜３０ｃに入力すれば良い。  また、上記各実施形態に記載した手法は、コンピュータに実行させることのできるプログラムとして、磁気ディスク（フロッピー（登録商標）ディスク、ハードディスクなど）、光ディスク（ＣＤ−ＲＯＭ、ＤＶＤなど）、光磁気ディスク（ＭＯ）、半導体メモリなどの記憶媒体に格納して頒布することもできる。
【０１１５】
また、この記憶媒体としては、プログラムを記憶でき、かつコンピュータが読み取り可能な記憶媒体であれば、その記憶形式は何れの形態であっても良い。
【０１１６】
また、記憶媒体からコンピュータにインストールされたプログラムの指示に基づきコンピュータ上で稼働しているＯＳ（オペレーティングシステム）や、データベース管理ソフト、ネットワークソフト等のＭＷ（ミドルウェア）等が本実施形態を実現するための各処理の一部を実行しても良い。
【０１１７】
さらに、本発明における記憶媒体は、コンピュータと独立した媒体に限らず、ＬＡＮやインターネット等により伝送されたプログラムをダウンロードして記憶または一時記憶した記憶媒体も含まれる。
【０１１８】
また、記憶媒体は１つに限らず、複数の媒体から本実施形態における処理が実行される場合も本発明における記憶媒体に含まれ、媒体構成は何れの構成であっても良い。
【０１１９】
尚、本発明におけるコンピュータは、記憶媒体に記憶されたプログラムに基づき、本実施形態における各処理を実行するものであって、パソコン等の１つからなる装置、複数の装置がネットワーク接続されたシステム等の何れの構成であっても良い。
【０１２０】
また、本発明におけるコンピュータとは、パソコンに限らず、情報処理機器に含まれる演算処理装置、マイコン等も含み、プログラムによって本発明の機能を実現することが可能な機器、装置を総称している。
【０１２１】
なお、本願発明は、上記実施形態そのままに限定されるものではなく、実施段階ではその要旨を逸脱しない範囲で構成要素を変形して具体化できる。また、上記実施形態に開示されている複数の構成要素の適宜な組合せにより種々の発明を形成できる。例えば、実施形態に示される全構成要素から幾つかの構成要素を削除してもよい。更に、異なる実施形態に亘る構成要素を適宜組合せてもよい。
【図面の簡単な説明】
【０１２２】
【図１】本発明の第１の実施形態に係るコンテンツ販売システムの構成を示す模式図である。
【図２】同実施形態における購入情報ＤＢの構成を示す模式図である。
【図３】同実施形態におけるチケット情報ＤＢの構成を示す模式図である。
【図４】同実施形態におけるコンテンツ鍵ＤＢの構成を示す模式図である。
【図５】同実施形態における動作を説明するためのフローチャートである。
【図６】本発明の第２の実施形態に係るコンテンツ販売システムの構成を示す模式図である。
【図７】同実施形態における動作を説明するためのフローチャートである。
【図８】本発明の第３の実施形態に係るコンテンツ販売システムの構成を示す模式図である。
【図９】同実施形態における購入履歴ＤＢの構成を示す模式図である。
【図１０】同実施形態におけるコンテンツ選択画面の構成を示す模式図である。
【図１１】同実施形態における動作を説明するためのフローチャートである。
【図１２】本発明の第４の実施形態に係るコンテンツ販売システムの構成を示す模式図である。
【図１３】同実施形態における利用者ＤＢの構成を示す模式図である。
【図１４】同実施形態における動作を説明するためのフローチャートである。
【符号の説明】
【０１２３】
１０，１０ａ〜１０ｃ…モバイル機器、１１…ブラウザ／メール機能、１２…購入ＩＤ表示機能、１３…購入ＩＤ送信機能、１４…機器情報送信機能、２０，２０ａ〜２０ｃ…ＤＶＤレコーダ、２１…購入ＩＤ入力機能、２２…暗号化コンテンツ鍵要求機能、２３…ＤＶＤドライブ機能、２４…パスワード入力機能、２５…購入ＩＤ受信機能、２６…購入コンテンツ選択機能、２７…機器情報受信機能、３０，３０ａ〜３０ｃ…配信サーバ、３１，３１ａ…携帯向けコンテンツ販売機能、３２…コンテンツ鍵送信機能、３３…暗号化コンテンツ鍵生成機能、３４…購入情報ＤＢ、３５…チケット情報ＤＢ、３６…コンテンツ鍵ＤＢ、３７，３７ｃ…携帯向けコンテンツ販売ポータル機能、３８…購入履歴ＤＢ、３９，３９ｃ…ＤＶＤレコーダ向けポータル機能、４０…ＤＶＤメディア。
【図１】
2006050017.tif 000003
【図２】
2006050017.tif 000004
【図３】
2006050017.tif 000005
【図４】
2006050017.tif 000006
【図５】
2006050017.tif 000007
【図６】
2006050017.tif 000008
【図７】
2006050017.tif 000009
【図８】
2006050017.tif 000010
【図９】
2006050017.tif 000011
【図１０】
2006050017.tif 000012
【図１１】
2006050017.tif 000013
【図１２】
2006050017.tif 000014
【図１３】
2006050017.tif 000015
【図１４】
2006050017.tif 000016